(57)【要約】【課題】画像表示装置において、表示パネルに表示された画像の屋外での視認性を向上する。【解決手段】有機ＥＬディスプレイ４０の上端部４０ａが、デジタルカメラ１０の背面１０ｂ近くに位置し、下端部４０ｂが背面１０ｂから離間した位置となるように、有機ＥＬディスプレイ４０の表示面４２が背面１０ｂに対して傾斜して設けられている。ユーザは、視線の中心軸Ｌと背面１０ｂとがほぼ垂直になる垂直視認状態でデジタルカメラ１０を構える。この垂直視認状態では、有機ＥＬディスプレイ４０の表示面４２に入射する外光の入射光４４は、視線の中心軸Ｌから外れた方向の反射光４５となるため、ユーザの目４６に入る反射光が少なくなる。【選択図】        図３
2006330189.tif 000002
【特許請求の範囲】
【請求項１】
画像を表示する表示パネルを装置本体に設けた画像表示装置において、
前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記表示パネルを装置本体の外表面に対して傾斜させたことを特徴とする画像表示装置。
【請求項２】
画像を表示する表示パネルを装置本体に設けた画像表示装置において、
前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記表示パネルを装置本体の外表面に対して傾斜させるとともに、
前記垂直視認状態で歪んで見える画像を正常に見えるように光学的に補正する光学フィルタを表示パネルの前方の装置本体に設けたことを特徴とする画像表示装置。
【請求項３】
画像データに基づいて画像を表示する表示パネルを装置本体に設けた画像表示装置において、
前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記表示パネルを装置本体の外表面に対して傾斜させるとともに、
前記画像データを書き換えることにより、前記垂直視認状態で歪んで見える画像を正常に見えるように補正する制御部を設けたことを特徴とする画像表示装置。
【請求項４】
画像データに基づいて画像を表示する表示パネルを装置本体に設けた画像表示装置において、
前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記装置本体の外表面に対する傾斜角が変更自在となるように表示パネルを装置本体に取り付けるとともに、
前記傾斜角を検出する角度検出部と、
この角度検出部によって検出された傾斜角に基づいて画像データを書き換えることにより、前記垂直視認状態で歪んで見える画像を正常に見えるように補正する制御部とを設けたことを特徴とする画像表示装置。
【請求項５】
前記表示パネルは、電圧を加えると発光する物質を用いた自発光型であることを特徴とする請求項１ないし４いずれか記載の画像表示装置。
【発明の詳細な説明】
【技術分野】
【０００１】
画像を表示する表示パネルを備えた画像表示装置に関するものである。
【背景技術】
【０００２】
画像を表示する表示パネルを備えた画像表示装置としては、デジタルカメラやデジタルムービーカメラや液晶テレビ等が知られている。このような画像表示装置は、屋外で使用されることが多いため、屋外での表示パネルの視認性が問題となる。
【０００３】
屋外での視認性が良好な表示パネルとしては、反射型液晶パネルが周知である。しかしながら、この反射型液晶パネルは、外光を照明光として利用しているため、照明光が不十分な屋内では見にくくなるという欠点がある。この欠点を改善したものとしては、特許文献１記載の液晶表示装置が知られている。この液晶表示装置は、線状光源からの光を反射型液晶パネルのフロント面に向け照射する楔状の導光板を反射型液晶パネルの前方に設けたものである。
【０００４】
一方、特に屋内での視認性が良好な表示パネルとしては、有機ＥＬディスプレイ（有機エレクトロルミネッセンスディスプレイ）が知られている。この有機ＥＬディスプレイは、電圧を加えることにより自発光する物質を利用した自発光型の表示パネルであり、透過型液晶パネルに必要なバックライトや、反射型液晶パネルに必要な導光板が不要である。
【特許文献１】特開２００４−３０２２９６号公報
【発明の開示】
【発明が解決しようとする課題】
【０００５】
上記のような自発光型の表示パネルを用いた画像表示装置は、屋外などの強い光の下では、表示パネルの表示面で反射した光が視認者の目に入り、表示パネルに表示される画像が見えづらくなるといった問題がある。
【０００６】
本発明は、表示パネルに表示された画像の屋外での視認性を向上できる表示装置を提供することを目的とする。
【課題を解決するための手段】
【０００７】
本発明の画像表示装置は、画像を表示する表示パネルを装置本体に設けた画像表示装置において、前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記表示パネルを装置本体の外表面に対して傾斜させたことを特徴とする。
【０００８】
また、画像を表示する表示パネルを装置本体に設けた画像表示装置において、前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記表示パネルを装置本体の外表面に対して傾斜させるとともに、前記垂直視認状態で歪んで見える画像を正常に見えるように光学的に補正する光学フィルタを表示パネルの前方の装置本体に設けたことを特徴とする。
【０００９】
また、画像データに基づいて画像を表示する表示パネルを装置本体に設けた画像表示装置において、前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記表示パネルを装置本体の外表面に対して傾斜させるとともに、前記画像データを書き換えることにより、前記垂直視認状態で歪んで見える画像を正常に見えるように補正する制御部を設けたことを特徴とする。
【００１０】
また、画像データに基づいて画像を表示する表示パネルを装置本体に設けた画像表示装置において、前記装置本体の外表面に対して視認者の視線の中心軸が垂直になるように視認者が表示パネルを望む垂直視認状態で、前記表示パネルの表示面で反射する外光が視認者の視線の中心軸から外れた方向へ反射するように、前記装置本体の外表面に対する傾斜角が変更自在となるように表示パネルを装置本体に取り付けるとともに、前記傾斜角を検出する角度検出部と、この角度検出部によって検出された傾斜角に基づいて画像データを書き換えることにより、前記垂直視認状態で歪んで見える画像を正常に見えるように補正する制御部とを設けたことを特徴とする。
【００１１】
また、前記表示パネルは、電圧を加えると発光する物質を用いた自発光型であることを特徴とする。
【発明の効果】
【００１２】
本発明の画像表示装置によれば、表示パネルを装置本体の外表面に対して傾斜させることにより表示パネルの表示面で反射する外光が視認者の視線の中心軸から外れた方向へ反射するようにしたので、表示パネルに表示された画像の屋外での視認性を向上できる。
【００１３】
また、表示パネルを装置本体の外表面に対して傾斜させることにより表示パネルの表示面で反射する外光が視認者の視線の中心軸から外れた方向へ反射するようにするとともに、光学フィルタを表示パネルの前方の装置本体に設けたので、表示画像の屋外での視認性を向上できるとともに、表示パネルの傾きに起因して歪んで見える画像を正常に見ることができる。
【００１４】
また、表示パネルを装置本体の外表面に対して傾斜させることにより表示パネルの表示面で反射する外光が視認者の視線の中心軸から外れた方向へ反射するようにするとともに、画像データを書き換えるので、表示画像の屋外での視認性を向上できるとともに、表示パネルの傾きに起因して歪んで見える画像を正常に見ることができる。
【００１５】
また、装置本体の外表面に対する傾斜角が変更自在となるように表示パネルを装置本体に取り付けることにより表示パネルの表示面で反射する外光が視認者の視線の中心軸から外れた方向へ反射するようにするとともに、前記傾斜角を検出し、この傾斜角に基づいて画像データを書き換えるので、表示画像の屋外での視認性を向上できるとともに、表示パネルの傾きに起因して歪んで見える画像を正常に見ることができる。また、前記表示パネルは、電圧を加えると発光する物質を用いた自発光型であることが好ましい。
【発明を実施するための最良の形態】
【００１６】
本発明の画像表示装置であるデジタルカメラを示す図１，２において、デジタルカメラ１０の前面１０ａには、撮影レンズ１８を保持するレンズ鏡筒２０と、被写体を照射するストロボ発光部２２と、光学ファインダ２４とが設けられており、デジタルカメラ１０の上面には、デジタルカメラ１０にシャッタレリーズ指示を与えるシャッタボタン２６と、スライドスイッチ２８とが設けられている。スライドスイッチ２８をスライドすることで、電源制御回路２９（図６参照）がバッテリ３０（図６参照）からの電力の供給を制御し、デジタルカメラ１０の電源がオンオフされる。
【００１７】
デジタルカメラ１０の背面１０ｂには、各種の動作モードの切り替えを行うモード切替ダイヤル３２、ズーム倍率の変更などを指示する各種の操作ボタン３３、ファインダ接眼窓３５及び画像表示窓３６が設けられている。
【００１８】
前記画像表示窓３６の背後には、電圧を加えると発光する物質を用いた自発光型の表示パネルとしての有機ＥＬディスプレイ４０（図３参照）が設けられている。この有機ＥＬディスプレイ４０は、再生モードの際に再生画像を表示する他、撮影モードの際には、被写体確認用のスルー画を表示して電子ビューファインダとしても機能する。
【００１９】
デジタルカメラ１０を側方から示す図３において、有機ＥＬディスプレイ４０の上端部４０ａが、デジタルカメラ１０の背面１０ｂ近くに位置し、下端部４０ｂが背面１０ｂから離間した位置となるように、有機ＥＬディスプレイ４０の表示面４２が背面１０ｂに対して傾斜して設けられている。本実施形態では、背面１０ｂと表示面４２とのなす角度を１０°とする。
【００２０】
このように構成されたデジタルカメラ１０の作用について説明する。モード切替ダイヤル３２を静止画撮影モードに設定し、スライドスイッチ２８をスライドしてデジタルカメラ１０の電源をオンにする。デジタルカメラ１０の電源がオンになると、スルー画像が表示面４２に表示される。
【００２１】
ユーザ（視認者）は、ユーザの視線の中心軸Ｌと背面１０ｂとがほぼ垂直になる垂直視認状態でデジタルカメラ１０を構える。この垂直視認状態では、有機ＥＬディスプレイ４０の表示面４２に入射する外光の入射光４４は、視線の中心軸Ｌから外れた方向の反射光４５となって、ユーザの目４６に入る反射光が少なくなる。この結果、ユーザは眩しさを感じるようなことがなく、有機ＥＬディスプレイ４０に表示された画像を明瞭に視認できる。
【００２２】
上記実施形態により表示面に表示される画像を太陽光の下などの明るい場所でも視認できるようにしたが、視線の中心軸と表示面とが垂直な場合と、視線の中心軸と表示面とが非垂直であるときとで、表示面に表示される画像の見え方が異なる。前記実施形態のような画像表示装置の表示面を垂直視認状態で視認すると、表示面に表示される画像は、表示面４２の下部に向かうほど縮小されて歪んで見える。なお、背面１０ｂに対する表示面４２の傾きが大きくなるほど、画像が著しく歪んで見える。例えば、視線の中心軸が背面１０ｂに対して垂直となる状態で、表示面４２の中心から２５センチ離れた位置から表示面４２の中心に視線を向けて表示面４２に表示される画像を視認すると、背面１０ｂに対する表示面４２の傾きを５°とすると、表示面４２の上部の倍率を１とするとき、表示面４２の最下部の倍率が０．９８９となって見え、背面１０ｂに対する表示面４２の傾きを１０°とすると、表示面４２の上部の倍率を１とするとき、表示面４２の最下部の倍率が０．９７９となって見える。このような歪みについても考慮した実施形態を以下に示す。
【００２３】
以下に、第２の実施形態を示す。上記実施形態と同じ符号については説明を省略する。本発明を実施したデジタルカメラ４７を示す図４において、有機ＥＬディスプレイ４０の上端部４０ａが、デジタルカメラ４６の背面４７ａ近くに位置し、下端部４０ｂが背面４７ａから離間した位置となるように、有機ＥＬディスプレイ４０の表示面４２が背面４７ａに対して傾斜して設けられている。本実施形態では、背面４７ａと表示面４２とのなす角度を１０°とする。また、表示面４２と背面４７ａとの間に光学フィルム５０を設ける。この光学フィルム５０は、図５に示すように表示面４２を覆う大きさで、表示面４２から発する画像光を透過し、画像光の偏向するなどし、背面４７ａと視線の中心軸Ｌとが垂直となる状態で視認する表示面４２と、表示面４２に対して視線の中心軸Ｌとが垂直になるようにして視認する表示面４２とに表示される画像の見え方が近似するように光学的に補正する。
【００２４】
このように構成されたデジタルカメラ４７の作用について説明する。モード切替ダイヤル３２を静止画撮影モードに設定し、スライドスイッチ２８をスライドしてデジタルカメラ４７の電源をオンにする。デジタルカメラ４７の電源がオンになると、撮影レンズ１８から取り込まれた被写体光に基づく画像が表示面４２に表示される。
【００２５】
ユーザは、前記実施形態と同様に、前記視認状態でデジタルカメラ４７を構える。このとき、画像からの画像光が光学フィルム５０と画像確認窓３６を通ってユーザの目に入る。画像光が光学フィルム５０を透過すると、表示面４２に表示される画像は、視線の中心軸Ｌと表示面４２とが垂直となるようにして表示面４２に表示された画像を視認するときと類似した見え方をする。なお、本実施形態には、光学フィルタとして光学フィルム５０を用いたが、光学レンズでよい。
【００２６】
また、前記第１の実施形態と同様に、有機ＥＬディスプレイ４０の表示面４２に入射する外光の入射光４４は、視線の中心軸Ｌから外れた方向の反射光４５となって、ユーザの目４６に入る反射光が少なくなる。この結果、ユーザは眩しさを感じるようなことがなく、有機ＥＬディスプレイ４０に表示された画像を明瞭に視認できる。
【００２７】
次に、第３の実施形態について示す。なお、本実施形態では、上記実施形態と同じ部材については同じ符号を付して説明を省略する。デジタルカメラ５３には、有機ＥＬディスプレイ４０の上端部４０ａが、デジタルカメラ５３の背面近くに位置し、下端部４０ｂが前記背面から離間した位置となるように、有機ＥＬディスプレイ４０の表示面４２が前記背面に対して傾斜して設けられている。図６は、デジタルカメラ５３の電気的構成を示すブロック図である。このレンズ鏡筒２０の後部には、シャッタ機構５５が設けられており、シャッタ制御回路５７により駆動制御される。なお、符号５９は、ストロボ発光制御回路である。
【００２８】
シャッタ機構５５の背後には、撮影レンズ１８を透過した被写体光を撮像するためのＣＣＤイメージセンサ６１が配置されている。このＣＣＤイメージセンサ６１には、タイミングジェネレータ６３からのタイミング信号(クロック信号)が入力される。このタイミング信号により、ＣＣＤイメージセンサ６１の各セルの電荷蓄積時間が決定される。ＣＣＤイメージセンサ６１の各セルで蓄積された電荷は、信号処理回路６５に転送される。信号処理回路６５は、相関二重サンプリング回路（ＣＤＳ），増幅器（ＡＭＰ）、Ａ／Ｄ変換器を含んでおり、ＣＣＤイメージセンサ６１の各セル蓄積電荷量に対応したデジタル画像データに変換される。
【００２９】
画像処理回路６７では、信号処理回路６５からの画像データに対して、ホワイトバランス、γ補正等の画像補正のほかに、階調変換、色変換、画像の超低周波輝度成分の階調を圧縮するハイパートーン処理、粒状を抑制しながらシャープネスを強調するハイパーシャープネス処理等の画像処理を施す。
【００３０】
画像信号処理が行われた画像データは、ＲＡＭ６９に一時的に記憶される。撮像された画像データを再生する際には、ＲＡＭ６９に記憶された画像データから対応するデータを読み出し、画像表示用の有機ＥＬディスプレイ４０に表示される。なお、ＲＡＭ６９に一時記録された画像データは、メディアコントローラ７３を介してメモリカードに７４記録される。ＲＯＭ７７には、デジタルカメラ５３を駆動させるための制御プログラムが予め記憶されている。
【００３１】
また、ＣＰＵ８１は、デジタルカメラ５３の背面に対して表示面４２が傾いていることにより、ユーザの視線の中心軸と前記背面とが垂直となる状態で視認する表示面４２と、視線の中心軸と表示面４２とが垂直となるときに視認される表示面４２に表示される画像が同一または類似して見えるように補正する制御部で、画像データを書き換える画像補正用のプログラム７９が予め記憶されている。なお、図７（Ａ）にプログラム７９によって書き換えられる前の画像データに基づく補正前画像、同図（Ｂ）にプログラム７９によって書き換えられた画像データに基づく補正後画像のイメージを示す。補正前画像は、表示面４２全体に表示されるのに対し、補正後画像は、上部ほど縮小され、表示面４２上に台形状に表示される。なお、図７（Ｂ）に示す表示面上の斜線部分には画像が表示されない。
【００３２】
電源制御回路２９は、スライドスイッチ２８をスライドすることでバッテリ３０からの電力の供給を制御し、デジタルカメラ５３の電源がオンオフされる。
【００３３】
このように構成されたデジタルカメラ５３を太陽光の下で使用するときの作用について図８のフローチャートに基づいて説明する。モード切替ダイヤル３２を静止画撮影モードに設定し、スライドスイッチ２８をスライドしてデジタルカメラ５３の電源をオンにする。デジタルカメラ５３の電源がオンになると、撮影レンズ１８から取り込まれた被写体光に基づく画像が表示面４２に表示される。前記実施形態と同様に、前記視認状態でデジタルカメラ５３を構える。
【００３４】
このとき、撮影レンズ１８から取り込まれた被写体光がＣＣＤイメージセンサ６１によって電荷変換される。電荷は、信号処理回路６５でデジタル画像データに変換される。画像処理回路６７では、ホワイトバランス、γ補正等の画像補正のほかに、階調変換、色変換、画像の超低周波輝度成分の階調を圧縮するハイパートーン処理、粒状を抑制しながらシャープネスを強調するハイパーシャープネス処理等の画像処理を施すとともに、ＲＯＭ７７に記憶されたプログラム７９が実行され、画像信号処理が行われる。
【００３５】
プログラム７９が実行されると、画像データが書き換えられ、画像表示窓３６から視認される画像を表示面４２と視線の中心軸とが垂直な状態で視認される画像と類似する見え方になるように補正する。
【００３６】
なお、画像信号処理が行われた画像データは、ＲＡＭ６９に一旦格納され、ＣＰＵドライバ８１，有機ＥＬディスプレイドライバ８３を介して、有機ＥＬディスプレイ４０の表示面４２上にスルー画として表示される。
【００３７】
また、前記第１，２の実施形態と同様に、有機ＥＬディスプレイ４０の表示面４２に入射する外光の入射光４４は、視線の中心軸から外れた方向の反射光４５となって、ユーザの目４６に入る反射光４５が少なくなる。この結果、ユーザは眩しさを感じるようなことがなく、有機ＥＬディスプレイ４０に表示された画像を明瞭に視認できる。
【００３８】
表示面４２に表示される画像を確認しながら、シャッタボタン２６の全押し操作によりシャッタレリーズが開始され、画像データを、例えば、ＪＰＥＧ形式などの所定の圧縮形式で画像圧縮が施され、圧縮された画像データはメディアコントローラ７３を経由してメモリカード７４に記録される。デジタルカメラ５３の使用を終了させるときには、スライドスイッチ２８を操作してデジタルカメラ５３の電源をオフにする。
【００３９】
次に、本発明の第４の実施形態に用いられるデジタルカメラを示す図９において、デジタルカメラ８４の背面８４ａに有機ＥＬディスプレイ４０が配設されている。有機ＥＬディスプレイ４０は、この下部がヒンジ部８８を介して背面８４ａ側に回動自在に取り付けられ、デジタルカメラ８４の電源オフ時は破線で示す初期位置にあり、電源オン時には図中矢印方向に傾斜される。図１０にデジタルカメラ８４の電気的構成を示すブロック図を示す。なお、上記実施形態と同じ符号については、説明を省略する。
【００４０】
このデジタルカメラ８４には、表示面４２を備えた有機ＥＬディスプレイ４０を背面８４ａに対して傾斜させる角度変更手段である表示装置駆動部９１と、デジタルカメラ８４の背面８４ａと表示面４２とがなす角度を検出する角度検出部９３と、角度検出部９３によって検出された角度に応じて表示面４２に表示される画像を補正するプログラム９６が記憶されたＲＯＭ９７とが設けられている。
【００４１】
表示装置駆動部９１は、操作部３３を操作することで有機ＥＬディスプレイ４０の傾きを変化させる。
【００４２】
角度検出部９３は、背面８４ａに対して表示面４２がどの程度傾いているかを検出し、この検出情報をＣＰＵ８１に送る。
【００４３】
ＣＰＵ８１は、角度検出部９３により傾きが検出されたときに、検出情報に基づいてＲＯＭ９７からプログラム９６を読み出し、プログラム９６が画像データを書き換え、表示面４２に表示される画像を補正する制御部である。プログラム９６に書き換えられる前の画像データに基づく画像は、表示面４２全体に表示されるのに対し、プログラム９６に書き換えられた画像データに基づく画像は、上部ほど縮小されて台形状に表示面４２上に表示される。これにより、画像表示窓３６から視認される画像が、表示面４２とユーザの視線の中心軸Ｌとが垂直となるときと、同一または類似するように見えるように補正される。
【００４４】
このように構成されたデジタルカメラ８４を太陽光の下で使用するときの作用について図１１のフローチャートに基づいて説明する。デジタルカメラ８４を屋外で使用する場合において、スライドスイッチ２８を操作して、デジタルカメラ８４の電源をオンするとともにモード切替ダイヤル３２を操作してモード選択を行う。例えば、撮影モードを選択すると、撮影レンズ１８から取り込まれた被写体光に基づいたスルー画が有機ＥＬディスプレイ４０に表示される。ユーザは、撮影レンズ１８を被写体に向けながら、前記実施形態と同様に、前記視認状態でデジタルカメラ８４を構える。
【００４５】
周囲が明るいために、表示面４２上に表示される画像が見えにくい場合には、操作部３３を操作して表示装置駆動部９１を駆動させて、有機ＥＬディスプレイ４０を例えば５°傾ける。有機ＥＬディスプレイ４０が傾くと、この傾きを角度検出部９３が測定し、ＣＰＵ８１は、プログラム９６をＲＯＭ９７から読み出して実行する。プログラム９６は、角度検出装置の測定結果に基づいて画像データを書き換え、表示面４２に表示される画像を補正する。
【００４６】
また、前記実施形態と同様に、有機ＥＬディスプレイ４０の表示面４２に入射する外光の入射光４４は、視線の中心軸Ｌから外れた方向の反射光４５となって、ユーザの目４６に入る反射光４５が少なくなる。この結果、ユーザは眩しさを感じるようなことがなく、有機ＥＬディスプレイ４０に表示された画像を明瞭に視認できる。
【００４７】
さらに周囲が明るくなり、表示面４２に表示される画像が見えにくくなると、操作部３３を操作して表示装置駆動部９１を駆動させて、背面８４ａに対する表示面４２の傾きを例えば１０°にして傾きを大きくして、反射光４５をより下方に反射させる。この傾きを角度検出部９３が測定し、この測定結果に応じたプログラム９６をＲＯＭ９７から読み出し、画像データを書き換え、表示面４２に表示される画像の補正を行う。
【００４８】
表示装置駆動部９１が操作され、有機ＥＬディスプレイ４０の傾きが変化するたびに、角度検出部９３が背面８４ａと表示面４２とがなす角度を検出し、この検出情報がＣＰＵ８１に入力される。ＣＰＵ８１は、背面８４ａと表示面４２とが平行でない場合には、検出情報に応じたプログラム９６をＲＯＭ９７から読み出し、画像データを書き換え、表示面４２に表示される画像の補正を行う。また、背面８４ａと表示面４２とが平行の場合には、画像の補正は行われない。デジタルカメラ８４の使用を終了させるときには、スライドスイッチ２８を操作してデジタルカメラ８４の電源をオフにする。
【００４９】
上記実施形態では、有機ＥＬディスプレイは、有機ＥＬディスプレイの下部と後カバーとを連結させ、有機ＥＬディスプレイの下部を軸に、表示面の前方に傾斜するように構成されていたが、これに限定されることなく、例えば、有機ＥＬディスプレイの上部と筐体とを回動自在に連結し、有機ＥＬディスプレイの上部を軸に有機ＥＬディスプレイを表示面の後方に動かすようにしてもよい。
【００５０】
上記の第３，４実施形態では、説明の便宜上、視認者の目から表示面４２の中心までの距離を考慮せずに画像データを書き換えていた。デジタルカメラ５３，８４の背面５３ａ，８４ａに対して表示面４２の傾きが例えば１０°のときに、視線の中心軸が背面５３，ａ８４ａと垂直な状態で表示面４２を視認しても、目から表示面４２の中心までの距離が異なると画像の見え方は異なる。例えば、視線の中心軸が背面と垂直な状態で、表示面の中心に視線を向けて表示面に表示された画像をみると、表示面の最上部の縮尺を１とするときの表示面の最下部の縮尺は、目から表示面の中心までの距離が１０センチでは０．９５で、２５センチでは０．９７９となる。このため、表示面を視認するときに対向する筐体外面と視線の中心軸とが垂直となるときと、表示面と視線の中心軸とが垂直となるときに表示面に表示される画像の見え方をより類似させるには、プログラム７９，９６が背面と表示面との傾きだけでなく、視認者の目から表示面の中心までの距離も考慮して画像データを書き換えることが望ましい。また、上記実施形態では、デジタルカメラの背面に対する表示面の傾斜角が１０°もしくは５°であったが、本発明はこれに限定されずない。
【００５１】
上記実施形態は、表示パネルを有機ＥＬディスプレイとしたが、ＦＥＤ（Ｆｉｅｌｄ  Ｅｍｉｓｓｉｏｎ  Ｄｉｓｐｌａｙ）やＰＤＰ（Ｐｌａｓｍａ  Ｄｉｓｐｌａｙ  Ｐａｎｅｌ）やＣＲＴ（Ｃａｔｈｏｄｅ  Ｒａｙ  Ｔｕｂｅ）などの自らが発光する自発光型の表示パネルだけでなく、広い視野角を備えた液晶ディスプレイ等にも適用することができる。
【００５２】
上記実施形態は、デジタルカメラであったが、例えば、ＰＤＡ（Ｐｅｒｓｏｎａｌ  Ｄｉｇｉｔａｌ  Ａｓｓｉｓｔａｎｃｅ）や携帯電話機やポータブルテレビなどの屋外などの輝度の高い場所で使用する画像表示装置に用いてもよい。また、表示面は、画像表示装置の筐体外から視認できればよく、画像表示装置の前面などから視認できるように設けられていてもよい。
【図面の簡単な説明】
【００５３】
【図１】第１実施形態のデジタルカメラの外観斜視図である。
【図２】デジタルカメラの背面図である。
【図３】有機ＥＬディスプレイの配置を示す図である。
【図４】第２実施形態の有機ＥＬディスプレイと光学フィルムとの配置を示す説明図である。
【図５】有機ＥＬディスプレイの前方に表示面の前面に光学フィルムを設けた説明図である。
【図６】第３実施形態のデジタルカメラの電気的構成を示すブロック図である。
【図７】プログラムによって書き換えられる前と書き換えられた後の画像データに基づく画像表示を示す図である。
【図８】画像補正のシーケンスを示すフローチャートである。
【図９】第４実施形態のデジタルカメラの斜視図である。
【図１０】第４実施形態のデジタルカメラの電気的構成を示すブロック図である。
【図１１】画像補正のシーケンスを示すフローチャートである。
【符号の説明】
【００５４】
１０，４７，５３，８４  デジタルカメラ
１０ｂ，４７ａ，８４ａ  背面
１８  撮影レンズ
３６  画像表示窓
４０  有機ＥＬディスプレイ
４２  表示面
５０  光学フィルム
７９，９６  プログラム
８１  ＣＰＵ
【図１】
2006330189.tif 000003
【図２】
2006330189.tif 000004
【図３】
2006330189.tif 000005
【図４】
2006330189.tif 000006
【図５】
2006330189.tif 000007
【図６】
2006330189.tif 000008
【図７】
2006330189.tif 000009
【図８】
2006330189.tif 000010
【図９】
2006330189.tif 000011
【図１０】
2006330189.tif 000012
【図１１】
2006330189.tif 000013